(57)【特許請求の範囲】
【請求項１】
画像信号を記録する画像記録手段と、音声信号を記録する音声記録手段を具備する記録装置において、
前記音声記録手段の記録した音声信号の記録範囲を再設定する音声記録範囲設定手段と、
前記音声記録範囲設定手段が再設定した記録範囲内の音声信号と前記画像記録手段が記録する画像信号をリンク付けして記録する画像音声リンク付け手段と、
を具備し、
前記音声記録範囲設定手段は、記録した音声信号を繰り返し再生する繰り返し再生手段と、前記繰り返し再生手段による再生中に、前記記録範囲の開始位置を設定する音声開始位置設定手段と、前記記録範囲の終了位置を設定する音声終了位置設定手段とを具備することを特徴とする記録装置。
【請求項２】
前記画像音声リンク付け手段がリンク付けして記録した音声信号と画像信号とを同時に検索し再生する検索再生手段を具備することを特徴とする請求項１記載の記録装置。
【請求項３】
前記音声信号と前記画像信号のリンク付けは、同一のラベルを付して記録することを特徴とする請求項１記載の記録装置。
【請求項４】
前記音声信号と前記画像信号のリンク付けは、音声と画像のトラック位置を整合することを特徴とする請求項１記載の記録装置。
【請求項５】
画像信号を記録する画像記録手段と、前記画像信号の記録タイミングの前後に亘る音声信号を記録する音声記録手段と、前記音声記録手段の記録した音声信号の記録範囲を再設定する音声記録範囲設定手段と、前記音声記録範囲設定手段が再設定した記録範囲内の音声信号と前記画像記録手段が記録する画像信号をリンク付けして記録する画像音声リンク付け手段とを具備することを特徴とする記録装置。
【請求項６】
前記画像音声リンク付け手段がリンク付けして記録した音声信号と画像信号とを同時に検索し再生する検索再生手段を具備することを特徴とする請求項５記載の記録装置。
【請求項７】
前記音声信号と前記画像信号のリンク付けは、同一のラベルを付して記録することを特徴とする請求項５記載の記録装置。
【請求項８】
前記音声信号と前記画像信号のリンク付けは、音声と画像のトラック位置を整合することを特徴とする請求項５記載の記録装置。
【発明の詳細な説明】
【０００１】
【発明の属する技術分野】
本発明は記録装置に関し、特に画像信号と関連して編集した音声信号を記録することが可能な記録装置に関する。
【０００２】
【従来の技術】
コンパクトディスク関連の１つであるＣＤ−Ｇ（Compact Disc-Graphics ）では、オーディオ用ＣＤの空きチャネルにグラフィックス（カラー静止画像）を加えて記録し、家庭用テレビに接続して音声信号だけでなく静止画像をも再生できるようにしている。また、ＣＤ−Ｉ（Compact Disc-Interactive Media）のように音声、映像、データを記録再生できるシステムも実用化されている。当然、これらの規格に合致して消去・再記録可能な光磁気ディスク等も考えられている。さらに、ディジタルカメラ等においても、画像記録と同時に音声信号を録音するような構成も考えられている。これ以外にも静止画像ではないがビデオテープレコーダのように記録した画像と記録した音声とを関連づけて記録処理したい場合が多い。
【０００３】
このように画像信号と音声信号とを記録する際に、従来の例では、画像信号取り込み前後の音声をユーザ側で任意に編集操作して録音することはできなかった。通常、画像信号取り込みと連動して自動的に音声信号が記録されてしまうのが普通であった。このため、撮像時の臨場音をそのまま記録しようとすると前後の不必要な音声信号が記録されてしまったり、また、必要とする音声信号と画像信号との対応が取れなくなって時間的に食い違ってしまうといったような問題が生まれてしまっていた。
【０００４】
この問題を避けるためには音声を自由に編集処理する必要が生まれてくる。しかし、音声と画像とを関連づけて編集しようとすると、従来では複数の再生装置や収録装置、編集を行うスタジオなどが必要となっていて、音声を画像に関連づけて編集記憶する簡単な装置はまだ実用化されていない。
【０００５】
【発明が解決しようとする課題】
上述のごとく、従来の画像信号と音声の同時記録装置では、必要とする音声信号と画像信号との対応が取れなくなって、そのために不必要な音声信号が再生されたり、時間的にずれて音声信号が再生されるといった問題があり、利用者にとって不都合であり不自然でもあった。
【０００６】
本発明は、この問題を解決して、画像信号の前後に録音されている音声信号をユーザが任意に編集して、この編集した音声信号を画像信号に簡単な方法で対応づけて記録できる記録装置を提供することを課題とする。
【０００７】
【課題を解決するための手段】
上記目的を達成するため、本発明は、画像信号を記録する画像記録手段と、音声信号を記録する音声記録手段を具備する記録装置において、前記音声記録手段の記録した音声信号の記録範囲を再設定する音声記録範囲設定手段と、前記音声記録範囲設定手段が再設定した記録範囲内の音声信号と前記画像記録手段が記録する画像信号をリンク付けして記録する画像音声リンク付け手段とを具備し、前記音声記録範囲設定手段は、記録した音声信号を繰り返し再生する繰り返し再生手段と、前記繰り返し再生手段による再生中に、前記記録範囲の開始位置を設定する音声開始位置設定手段と、前記記録範囲の終了位置を設定する音声終了位置設定手段とを具備することを特徴とする。
また、上記目的を達成するため、本発明は、画像信号を記録する画像記録手段と、前記画像信号の記録タイミングの前後に亘る音声信号を記録する音声記録手段と、前記音声記録手段の記録した音声信号の記録範囲を再設定する音声記録範囲設定手段と、前記音声記録範囲設定手段が再設定した記録範囲内の音声信号と前記画像記録手段が記録する画像信号をリンク付けして記録する画像音声リンク付け手段とを具備することを特徴とする。
【０００８】
【発明の実施の形態】
以下、本発明にかかる記録装置を添付図面を参照にして詳細に説明する。
図１および図２は、本発明の実施形態の記録装置の構成を示すブロック図である。
図１および図２中、１はＣＰＵ、２は操作部、３はメモリ、４は蓄積用メモリ、５はＣＣＤ（カメラ）部、６は画像フォーマット生成部、７はマイク部、８はＡ／Ｄ部、９はスピーカ部、１０はＤ／Ａ部、１１は表示部、１２はバスラインである。また、図２中、１３〜１６はインタフェース部であり、２０はメイン処理部、２１はＡＶ機能部、２２は音声収録部を示している。
【０００９】
これらの実施形態のうち、図１の実施形態は一体型の構成のものである。
この実施形態の動作を説明すると、操作部２からの記録指示によってＣＰＵ１が制御を開始し、ＣＣＤ（カメラ）部５で映像が採録され、マイク部７で音声信号が採録される。このＣＣＤ（カメラ）部５からの映像信号は画像フォーマット生成部６で所定の形式に変換され、またマイク部７からの音声信号はＡ／Ｄ部８でディジタル信号に変換され、バスライン１２を介して、ともに一旦メモリ３に記録された後、最終的に蓄積用メモリ４に記録される。メモリ３は収録信号の一時記録の他にプログラムやデータの記録にも用いられる。
【００１０】
蓄積用メモリ４は編集後の映像・音声を記録し、保存され、必要に応じて再生される役割を有している。この蓄積用メモリ４の内容は操作部２が与える再生指示によってＣＰＵ１が蓄積用メモリ４を駆動して再生され、その映像信号は表示部１１で表示され、音声信号はスピーカ部９から発音出力される。
【００１１】
一方、図２の実施形態は、メイン処理部２０とＡＶ機能部２１や音声収録部２２が分離された構成を採用したものである。ＡＶ機能部２１の各セクションとメイン処理部２０はそれぞれインタフェース部１３〜１６とバスライン１２を介して接続されている。このＡＶ機能部２１は図１のような一体型の装置をインタフェースを介し分離したものであってもいいし、あるいは通常のＡＶ装置をディジタル入出力を使ってメイン処理部２０に接続したものであってもよい。この図２の実施形態においても基本的な動作は図１の場合と全く同じである。
【００１２】
図１のように記録装置が一体の構成の場合は、メイン処理部２０とＡＶ機能部２１は同一の場所になくてはならないが、図２のような分離型の構成では画像・音声の収録位置と処理装置の位置を分離することができる。更に、音声収録部２２が他の部分と分離された形であるとＣＣＤ（カメラ）部５とマイク部７をある程度離して記録をとることができる。
また、音声収録部２２に図３に示したようにＦＭ送受信部１７、１８を組み合わせて構成すると、遠距離からの外部音声をＦＭ電波で受けて画像信号にリンクすることもできる。
本発明では、メモリ３に一時記憶された音声信号を簡単な方法で編集して、蓄積用メモリ４に映像信号とこの編集された音声信号を対応して記憶させることを目的にしている。
【００１３】
図４は、メモリ３中の音声一時記録用のメモリブロックの内容を模式的に示したものである。
このメモリは△△△△番地から○○○○番地迄の範囲で構成され、このメモリに対しての記録は△△△△番地から始まり、○○○○番地まで一杯になると再び△△△△番地に戻って上書きするようにして行われる。
【００１４】
図５にこの音声一時記録用のメモリブロックを用いて音声信号を編集し蓄積用メモリ４に画像信号と関連づけて記録する処理に関するフローチャートを示す。以下、図５のフローチャートにそって音声の録音編集の操作と処理について説明する。
先ずステップ１０１で画像取り込みモード（撮影モード）が指定されると、音声側ではマイク部７での音声信号の収録が開始される（ステップ１０２）。一方、画像側では記録ＣＣＤ（カメラ）部５が映像記録待ちの状態になる（ステップ１０６）。（また、これ以外の指定方法によって音声信号の収録と映像記録を独立に開始させ実行させることも可能であるが本発明とは特に関係がないので詳細の説明は省略する。）
【００１５】
ステップ１０２の状態では音声側の録音は連続して続けられていて、図４のメモリブロックの△△△△番地から○○○○番地に順次記録されて行き、先にのべたように、○○○○番地まで一杯になると再び△△△△番地に戻ってリング状に上書きがなされている。
【００１６】
画像側で使用者の操作により画像取り込みイベントが発生し、画像の取り込みが終了してメモリ３に一時記憶されると（ステップ１０７）、録音停止指示が画像側の記録ＣＣＤ（カメラ）部５から音声側に送られる。これによって、音声側はステップ１０３の状態に遷移し、ステップ１０２で記録された音声信号の有効範囲の再生を始める。
【００１７】
ところで、録音停止指示が画像側から音声側に送られた時のメモリブロックの状態は図６に示すようになっている。図６でａ点が書き込みを行っていて停止指示があった時刻に当る。
このａ点の前のｔ１時間前から、ａ点の後のｔ２時間後迄を仮にこの録音の有効音声データとする。この時間ｔ１、ｔ２はユーザが別途、任意に設定できる時間である。図６では▲▲▲▲番地から●●●●番地までがこのときの仮有効音声データということになる。
ステップ１０３ではこの有効音声データが繰返し再生される。この状態は、ステップ１０４の開始／終了アドレス変更操作が実行され終了されるまでは継続されている。
【００１８】
ステップ１０４の開始／終了アドレス変更操作は予め指定されたボタンの操作によって実行される。この間の関係を図７に示す。
例えば、有効音声データの開始番地の設定は開始アドレス変更用に決められたボタンＡのチョン押しによって行われる。開始番地は最初のボタンＡのチョン押しで時刻ａ点に移り、ボタンＡのチョン押しする度に時間ｔ３ずつ、図７（ａ）でのａ、ａ´、ａ´´というように時間を溯っていく。
この間、ステップ１０３での有効音声データの繰返し再生はこの新しく設定された範囲で繰返される。ここで新しく設定される開始番地は最初の仮有効範囲の開始番地▲▲▲▲番地を溯ることはできない。またこのチョン押しは一旦止めた後、確定されるまでは再度繰り返しても良い。開始番地を確定するためにはボタンＡを一定時間以上押し続ければよい。一定時間以上ボタンＡを押し続けると現在指定されている開始番地が確定される。
【００１９】
同様に、有効音声データの終了番地の設定は終了アドレス変更用に決められたボタンＢのチョン押しによって行われる。終了番地は最初ｂ点すなわち●●●●番地に有り、ボタンＢをチョン押しする度に時間ｔ３ずつ、図７（ａ）でのｂ、ｂ´というように時間を溯っていく。新しく設定される終了番地は既に設定された開始番地を溯ることはできない。終了番地を確定するためにはボタンＢを一定時間以上押し続ければよい。一定間以上ボタンＢが押し続けられると現在指定されている開始番地が確定される。
このようにして開始番地、終了番地ともに確定され、図７（ｂ）のように◆◆◆◆番地から■■■■番地が最終有効範囲と決定されると、ステップ１０５に移る。
【００２０】
ステップ１０５では図８に示したように音声側ではこの範囲の音声信号が、メモリ３内の一時記録の◆◆◆◆番地〜■■■■番地から蓄積用メモリ４の◇◇◇◇番地〜□□□□番地に転送されて記録される。
このように音声信号が確定されると、これと時を同じくしてステップ１０７で保存された映像信号が読み出され、音声信号とリンクされて蓄積用メモリ４に記録される。
最終的には画像信号に音声信号を張り付けて処理終了となる（ステップ１０８）。画像信号に音声信号を張り付けるための方法は同一のラベルを付して記録するとか、画像と音声のトラック位置を整合する等の方法によって実現される。
【００２１】
これにより、画像信号とそれと対になった編集された音声信号を蓄積用メモリ４から同時に検索し同時に読み出し、それぞれ表示部１１とスピーカ部９から同時に再生することができるようになる。
【００２２】
以上の説明で、ステップ１０７で画像信号をメモリ３に一時記憶した後、ステップ１０８で蓄積用メモリ４に転送するように説明したが、蓄積用メモリ４の性質によっては、最初から蓄積用メモリ４に蓄積し、それに音声信号をリンクするようにしても良い。この場合は一時蓄積に必要なメモリ３の容量をはるかに小さくできる。
【００２３】
また、以上の説明では、蓄積される画像信号を静止画像信号であるとして説明したが、これが動画像であっても差し支えない。
動画像の場合は音声の開始／終了アドレス変更操作（ステップ１０７）に先立って動画像をスチル（静止画）再生状態にしておき、その動画像の記録位置に対して静止画像の場合と同様に音声信号の対応をとることで、動画像に対する音声の張り付けが可能になる。
【００２４】
以上に述べたような方法によると、一旦記録した画像取り込み前後の音声信号の記録の中から利用者が任意に所定の範囲を選択し、選択した範囲の音声信号を画像信号に関連付け蓄積記録することができる。この結果、蓄積記録上では音声信号が画像の取り込みと連動して自動的に行われる訳ではないので、音声信号の始まりと終わりを上手に編集することができる。
また、このように編集した画像信号と音声信号の対を通信回線を用いて通信伝送することもでき、この様な目的への使用にも有効である。
また、音声の一時記憶に使用される記憶領域はメモリ３の固定長の部分を割り当てリング状に使用するので、比較的少ないメモリソースを有効に利用することができる。
【００２５】
【発明の効果】
以上説明したように本発明の請求項１の発明は、画像信号を記録する画像記録手段と、音声信号を記録する音声記録手段を具備する記録装置において、音声記録手段の記録した音声信号の記録範囲を再設定する音声記録範囲設定手段と、音声記録範囲設定手段が再設定した記録範囲内の音声信号と画像記録手段が記録する画像信号をリンク付けして記録する画像音声リンク付け手段とを具備し、音声記録範囲設定手段は、記録した音声信号を繰り返し再生する繰り返し再生手段と、繰り返し再生手段による再生中に、記録範囲の開始位置を設定する音声開始位置設定手段と、記録範囲の終了位置を設定する音声終了位置設定手段とを具備することを特徴とする。これにより、画像信号の前後に録音されている音声信号の収録範囲をユーザが容易かつ確実な操作で任意に指定して編集し、この編集した音声信号を画像信号に簡単な方法で対応づけて記録できる記録装置を実現することができ、音声信号と画像信号の同時記録を手際よく行うことができる。
また、本発明の請求項５の発明は、画像信号を記録する画像記録手段と、画像信号の記録タイミングの前後に亘る音声信号を記録する音声記録手段と、音声記録手段の記録した音声信号の記録範囲を再設定する音声記録範囲設定手段と、音声記録範囲設定手段が再設定した記録範囲内の音声信号と画像記録手段が記録する画像信号をリンク付けして記録する画像音声リンク付け手段とを具備することを特徴とする。これにより、画像信号の前後に録音されている音声信号の収録範囲をユーザが任意に指定して編集し、この編集した音声信号を画像信号に簡単な方法で対応づけて記録できる記録装置を実現することができ、音声信号と画像信号の同時記録を手際よく行うことができる。
【００２６】
また、本発明の請求項２および請求項６の発明は、画像音声リンク付け手段がリンク付けして記録した音声信号と画像信号とを同時に検索し再生する検索再生手段を具備することを特徴とする。これにより、画像信号に対応づけて記録された音声信号を画像信号と共に容易に検索して再生することができ、利用者の使い勝手の勝れた記録装置を実現することができる。
【００２７】
また、画像記録手段が記録する画像信号は静止画像信号であるのが好ましい。これにより、静止画像の取り込み時に録音した音声信号を関連付けて記録することができる。
【図面の簡単な説明】
【図１】本発明の記録装置の一実施形態の構成を示すブロック図。
【図２】本発明の記録装置の他の実施形態の構成を示すブロック図。
【図３】ＦＭ送受信部を含む音声収録部のブロック図。
【図４】図１の実施形態における音声一時記録用のメモリブロックの説明図。
【図５】本発明の実施形態における処理フローチャート。
【図６】録音停止指示が送られた時のメモリブロックの状態を示す説明図。
【図７】開始／終了アドレス変更操作を実施したときのメモリブロックの状態を示す説明図。
【図８】一時記録メモリブロックから蓄積用メモリの編集された記録内容の転送状態を示す説明図。
【符号の説明】
１……ＣＰＵ、２……操作部、３……メモリ、４……蓄積用メモリ、５……ＣＣＤ（カメラ）部、６……画像フォーマット生成部、７……マイク部、８……Ａ／Ｄ部、９……スピーカ部、１０……Ｄ／Ａ部、１１……表示部、１２……バスライン、１３〜１６……インタフェース部、１７……ＦＭ送信部、１８……ＦＭ受信部、２０……メイン処理部、２１……ＡＶ機能部、２２……音声収録部。
【図１】
0003758252.tif 000002
【図２】
0003758252.tif 000003
【図３】
0003758252.tif 000004
【図４】
0003758252.tif 000005
【図５】
0003758252.tif 000006
【図６】
0003758252.tif 000007
【図７】
0003758252.tif 000008
【図８】
0003758252.tif 000009